(57)【要約】【課題】シート状電子部品を確実に収納凹部に収納したり、収納凹部から供給できるようにするシート状電子部品の包装方法および取出し方法を提供する。【解決手段】少なくとも一辺に搬送用の送り孔を一定間隔毎に設けるとともに、中央部にシート状の電子部品７を収納する収納凹部８を一定間隔をもって設けたキャリアテープ６の収納凹部８の底面に設けた吸引孔９で吸引することで、シート状の電子部品７を確実に収納凹部８に収納する。【選択図】図１
2005035637.tif 000002
【特許請求の範囲】
【請求項１】
少なくとも一辺に搬送用の送り孔を一定間隔毎に設けるとともに中央部にシート状の電子部品を収納する収納凹部を一定間隔をもって設けたキャリアテープと、このキャリアテープの収納凹部を塞ぐようにキャリアテープに結合されるカバーテープとからなる電子部品用包装体を用い、上記キャリアテープの収納凹部の底面に吸引孔を形成し、シート状電子部品をキャリアテープの収納凹部に収納する際に上記吸引孔を用いて吸引した後カバーテープをキャリアテープに結合するシート状電子部品の包装方法。
【請求項２】
少なくとも一辺に搬送用の送り孔を一定間隔毎に設けるとともに中央部にシート状電子部品を収納する収納凹部を一定間隔をもって設けたキャリアテープと、このキャリアテープの収納凹部を塞ぐようにキャリアテープに結合されたカバーテープとからなる電子部品用包装体を用い、上記キャリアテープの収納凹部の底面に吸引孔を形成し、シート状電子部品を取出す際に上記吸引孔を用いてシート状電子部品を吸引した状態でカバーテープを剥がし、上記吸引を停止した状態で収納凹部からシート状電子部品を取出すシート状電子部品の取出し方法。
【発明の詳細な説明】
【技術分野】
【０００１】
本発明は収納凹部を設けたキャリアテープとカバーテープからなる包装体にシート状電子部品を確実に包装するとともに取出せるシート状電子部品の包装方法及び取出し方法に関するものである。
【背景技術】
【０００２】
近年、電子機器の薄形化、小形化が志向される中で、これらの電子機器に用いられる電子部品としても薄形化、小形化の要求が強まっている。
【０００３】
このような要求を満たすためにコンデンサやインダクタンス部品あるいはフィルタなどの複合部品としてシート状に形成した電子部品が開発され、利用されるようになってきている。例えば、半導体部品の直下にシート状のコンデンサを配置接続して半導体部品の応答速度を速くするようなものとして利用されようとしている。
【０００４】
上記のようなシート状電子部品も、他の電子部品と同様に収納凹部を一定間隔毎に連続的に設けたキャリアテープと、このキャリアテープの収納凹部を塞ぐようにキャリアテープ上に結合されるカバーテープからなる電子部品用包装体に包装されてユーザに供給される。
【０００５】
このような包装形態を採用する場合、上記のような厚さ数百μｍのシート状電子部品をキャリアテープの収納凹部に正確に収納したり、このシート状電子部品をユーザ側でカバーテープを剥がしてキャリアテープの収納凹部から正確に取出したりすることが困難になることが考えられる。すなわち、キャリアテープへの収納時には少しの風が周囲にあるとその風にシート状電子部品が影響を受けて傾いたり、方向が変わって収納凹部への収納が困難となり、取出時には、搬送時や輸送時に受ける振動によってシート状電子部品やキャリアテープまたはカバーテープに静電気が発生してシート状電子部品がキャリアテープやカバーテープに吸着されて、自動実装における吸着ヘッドによる吸引ができずにシート状電子部品の供給エラーが発生したりするおそれがある。
【０００６】
従来において、このような電子部品用包装体から自動実装時の電子部品の取出しを確実にするのに、図９に示すように電子部品を収納した収納凹部２を有するキャリアテープ３からカバーテープ４を剥離して電子部品１を取出す位置に磁石５を配置し、電子部品１を磁石５によって引き寄せてカバーテープ４の剥離時に付着していくのを阻止したり、キャリアテープ３の収納凹部２の中で姿勢が乱れるのを防止したりするものが提案されている（例えば特許文献１参照。）。
【特許文献１】特開平１０−１６３６８４号公報
【発明の開示】
【発明が解決しようとする課題】
【０００７】
しかしながら、この方法においては、包装される電子部品１としていずれかの構成要素に鉄やニッケルといった磁性を有した材料を用いることが条件となり、あらゆる電子部品に共用できないといった課題を有するものであった。
【０００８】
本発明は上記従来の欠点を除去し、磁性を有する材料が全く使用されていないシート状電子部品においても確実にキャリアテープの収納凹部に収納できるとともに、取出時においても確実に供給エラーを発生することなく取出せるシート状電子部品の包装方法及び取出し方法を提供することを目的とするものである。
【課題を解決するための手段】
【０００９】
本発明は、少なくとも一辺に搬送用の送り孔を一定間隔毎に設けるとともに中央部にシート状電子部品を収納する収納凹部を一定の間隔をもって設けたキャリアテープと、このキャリアテープの収納凹部を塞ぐようにキャリアテープに結合されるカバーテープとからなる電子部品用包装体を用い、上記キャリアテープの収納凹部の底面に吸引孔を形成し、シート状電子部品をキャリアテープの収納凹部に収納する際およびキャリアテープからカバーテープを剥がす際に上記吸引孔を用いて吸引しながら行うシート状電子部品の包装方法および取出し方法である。
【発明の効果】
【００１０】
以上のように本発明のシート状電子部品の包装方法および取出し方法は、シート状電子部品として磁性を有する材料を用いたものでなくてもシート状電子部品をキャリアテープの収納凹部に確実に収納させて包装できるとともに、実装時においては静電気などによってカバーテープの剥離時に付着して取出されてしまったり姿勢がくずれたりすることなく供給エラーのない取出しが実現できることになる。
【発明を実施するための最良の形態】
【００１１】
以下本発明の最良の実施の形態について図面を用いて説明する。
【００１２】
（実施の形態１）
本発明の実施の形態１においては、シート状電子部品の包装方法について図１〜５を用いて説明する。
【００１３】
図１は本発明の実施の形態１におけるシート状電子部品の包装方法を示す概略構成図、図２は同方法に用いる吸引ブロックの斜視図、図３は同方法に用いる電子部品用包装体の斜視図、図４と図５は同包装方法を示す説明図である。
【００１４】
まず、最初に本発明に用いる電子部品用包装体の構成について図３を用いて説明する。ポリカーボネートなどの樹脂材で構成されたキャリアテープ６には中央部に一定の間隔をもってシート状電子部品７を収納する収納凹部８が連続して形成され、この収納凹部８の底面には２個の吸引孔９が設けられている。また、この収納凹部８の片側にはキャリアテープ６を間欠的に搬送するための送り孔１０が一定の間隔をもって連続して形成されている。
【００１５】
上記キャリアテープ６には、上記送り孔１０のみを外してシート状電子部品７を収納した収納凹部８を塞ぐようにポリエチレンテレフタレートなどの樹脂材からなるカバーテープ１１が結合される。このカバーテープ１１のキャリアテープ６への結合は、キャリアテープ６の収納凹部８の両側部に加熱融着によって行われる。
【００１６】
このような長尺状の電子部品用包装体を用いて、厚さ数百μm程度のシート状電子部品７を包装するのには図１に示すような方法によって行う。すなわち、キャリアテープ６を搬送装置を用いて直線的に間隔搬送しこのキャリアテープ６の底面側に吸引ブロック１２を配置しておく。この吸引ブロック１２は図２に示すように下面に真空ポンプに接続される吸引部１３を有し、この吸引部１３に連通するように形成された２本の吸引スリット１４を上面側に設けた構成になっている。吸引スリット１４の長さは上記キャリアテープ６の２個分の収納凹部８間の長さに相当するものとなっている。
【００１７】
この吸引ブロック１２のほぼ中間部に位置するキャリアテープ６の上面側にカバーテープ１１を供給ガイドするガイドローラ１５が設けられ、このガイドローラ１５のキャリアテープ６の搬送方向側に上下動してカバーテープ１１をキャリアテープ６に熱融着する加熱融着ツール１６が設けられている。
【００１８】
このような構成で、図４に示すように吸引ブロック１２上に搬送されてきた収納凹部８にシート状電子部品７が収納されると、吸引ブロック１２の吸引スリット１４を通し収納凹部８に設けた吸引孔９から空気が引かれ、収納凹部８内のシート状電子部品７は収納凹部８の底面に引き寄せられた状態で間欠搬送され、キャリアテープ６の上面にカバーテープ１１がガイドローラ１５を介して供給される。
【００１９】
次に図５に示すように空の収納凹部８が吸引ブロック１２上に搬送されてきて停止すると、この空の収納凹部８内の空気は吸引孔９、吸引ブロック１２の吸引スリット１４を介して吸引された状態となり、吸着ヘッド１７に吸着されて運ばれてくるシート状電子部品７は、この収納凹部８に引込まれるように収納される。この時、シート状電子部品７の供給と同時にすでにシート状電子部品７を収納した収納凹部８の上面にカバーテープ１１が供給されており、ガイドローラ１５でキャリアテープ６に押付けた状態を保っており、その搬送側において加熱融着ツール１６が下動してきてカバーテープ１１をキャリアテープ６に熱融着させて包装を完了する。
【００２０】
このような動作を繰り返して長尺状の電子部品用包装体にシート状電子部品７の包装が連続的に行われる。
以上のような包装方法とすることにより、薄くて扱いにくいシート状電子部品７がキャリアテープ６の収納凹部８に確実に収納することができ、キャリアテープ６の収納凹部８から浮き上がって収納凹部８間に乗り上げ、カバーテープ１１の結合時に挟まれて収納凹部８内にシート状電子部品７が存在しなくなるといったことが阻止でき、信頼性の高い包装が実現できることになる。
【００２１】
（実施の形態２）
次に本発明の実施の形態２におけるシート状電子部品の取出し方法について図６〜図８を用いて説明する。
【００２２】
電子部品用包装体としては、実施の形態１で説明したものと全く同一であり、実施の形態１で説明した包装方法で包装されたものを用いる。
【００２３】
図６において、シート状電子部品７を収納凹部８にそれぞれ収納したキャリアテープ６にカバーテープ１１を結合したものを搬送装置によって直線的にかつ間欠的に搬送する。この搬送工程のシート状部品７の取出位置に対応する部分には吸引ブロック１２が配置されており、真空ポンプに接続される吸引部１３、この吸引部１３と連通する２個分の収納凹部８間の長さをもった吸引スリット１４によってキャリアテープ６の収納凹部８の底面に設けた吸引孔９を介して収納凹部８内に収納されたシート状電子部品７を吸引して収納凹部８の底面に引寄せたり、吸引を停止してシート状電子部品７を取出しやすくしたりできるようになっている。
【００２４】
また、この吸引ブロック１２の中間部の上部には、カバーテープ１１を引き剥がすときのガイドを行うガイドローラ１８が設けられ、このガイドローラ１８のキャリアテープ６の進行方向側には、カバーテープ１１を剥がされたキャリアテープ６の収納凹部８からシート状電子部品７を吸着して取出す吸着ヘッド１９が上下動可能に配置されている。
【００２５】
このような構成において、図７に示すように電子部品用包装体が搬送されているときは、ガイドローラ１８によってガイドされるカバーテープ１１が吸引ブロック１２の上でキャリアテープ６から引き剥がされる。このとき、吸引ブロック１２は真空ポンプによって吸引されており、この吸引ブロック１２上にある２つの収納凹部８、すなわち一つはまさにカバーテープ１１を引き剥がされようとする収納凹部８で、他の一つは既にカバーテープ１１を引き剥がされ中にシート状電子部品７を収納した収納凹部８であり、この２つの収納凹部８内のシート状電子部品７は上記吸引によって収納凹部８の内底面に引き寄せられた状態となっている。
【００２６】
これは、輸送時や搬送時に加えられる振動などによって静電気が発生して引き剥がそうとしているカバーテープ１１に付着して持ち出されたり、搬送時の振動などによって収納凹部８からシート状電子部品７が飛び出すのを防止するためである。
【００２７】
次に図８に示すように電子部品用包装体が停止しているときは、吸引ブロック１２に接続した真空ポンプは停止し、キャリアテープ６の収納凹部８内のシート状電子部品７も吸引されずフリーな状態となる。
【００２８】
このような状態としたとき、自動実装機による吸着ヘッド１９が下動してきて、カバーテープ１１を剥がし開口した状態のキャリアテープ６の収納凹部８内のシート状電子部品７を吸着し、次に上動して所定の実装部に搬送していく。
【００２９】
以上のように本発明のシート状電子部品の取出し方法においては、カバーテープの剥離時およびカバーテープを除去し、シート状電子部品を内蔵した状態での搬送時にシート状電子部品７をキャリアテープ６の収納凹部８の内底面に引き寄せ、搬送停止時には吸引も停止して収納凹部８からシート状電子部品７を取り出しやすくしている。この方法によれば、カバーテープ１１の剥離時に付着してシート状電子部品７が持ち出されたり、搬送時に収納凹部８から飛び出したりすることがなく、供給エラーを引き起こすようなことを阻止できる。
【産業上の利用可能性】
【００３０】
本発明における電子部品の包装方法および取出し方法は、今後ますます多くなってくる薄くて軽い電子部品のテーピングやテーピングから取出し自動実装する場合において有効に活用できるものである。
【図面の簡単な説明】
【００３１】
【図１】本発明の実施の形態１におけるシート状電子部品の包装方法を説明する概略構成図
【図２】同方法に用いる吸引ブロックの斜視図
【図３】同方法に用いる電子部品用包装体の斜視図
【図４】同方法を説明するための説明図
【図５】同方法を説明するための説明図
【図６】本発明の実施の形態２におけるシート状電子部品の取出し方法を説明する概略構成図
【図７】同方法を説明するための説明図
【図８】同方法を説明するための説明図
【図９】従来の電子部品の取出し方法を示す説明図
【符号の説明】
【００３２】
６  キャリアテープ
７  シート状電子部品
８  収納凹部
９  吸引孔
１０  送り孔
１１  カバーフィルム
１２  吸引ブロック
１３  吸引部
１４  吸引スリット
１５  ガイドローラ
１６  加熱融着ツール
１７  吸着ヘッド
１８  ガイドローラ
１９  吸着ヘッド
【図１】
2005035637.tif 000003
【図２】
2005035637.tif 000004
【図３】
2005035637.tif 000005
【図４】
2005035637.tif 000006
【図５】
2005035637.tif 000007
【図６】
2005035637.tif 000008
【図７】
2005035637.tif 000009
【図８】
2005035637.tif 000010
【図９】
2005035637.tif 000011